(57)【要約】      （修正有）【課題】抽選に外れたことを条件に参加者に対して利益的な処理を伴う抽選システムを提供する。【解決手段】携帯通信端末１と接続可能なウェブサーバー２を有する。ウェブサーバーは利用者に係るユーザー情報として少なくとも電子メールアドレス及びパスワードを登録するユーザー登録手段３と、ユーザー登録手段によって登録されたユーザー情報を管理するユーザー情報管理手段６と、複数のモバイルくじＩＤを記憶し管理するモバイルくじＩＤ管理手段７と、モバイルくじＩＤを抽選処理に参加するための条件とする抽選処理手段５と、モバイルくじＩＤに対応する画像データを記憶した画像データ記憶手段４を有する。抽選処理手段によるモバイルくじＩＤを用いて参加した抽選処理の結果が落選である場合に、携帯電話端末のディスプレイに表示可能な画像ファイルを取得できるリンク情報を生成する落選処理を行う。【選択図】図１
2016126461.tif 000002
【特許請求の範囲】
【請求項１】
携帯通信端末と接続可能なウェブサーバーを有し、
当該ウェブサーバーは、
利用者に係るユーザー情報として少なくとも電子メールアドレスおよびパスワードを登録するユーザー登録手段と、
前記ユーザー登録手段によって登録されたユーザー情報を管理するユーザー情報管理手段と、
複数のモバイルくじＩＤを記憶し管理するモバイルくじＩＤ管理手段７と、
前記モバイルくじＩＤを抽選処理に参加するための条件とする抽選処理手段と、
前記モバイルくじＩＤに対応する画像データを記憶した画像データ記憶手段を有し、
前記抽選処理手段による前記モバイルくじＩＤを用いて参加した抽選処理の結果が落選である場合に、前記携帯電話端末のディスプレイに表示可能な画像ファイルを取得できるリンク情報を生成する落選処理を行うことを特徴とする抽選システム。
【請求項２】
前記ユーザー情報管理手段は、同一のユーザーから同一のモバイルくじＩＤを受信した場合に抽選を行わないようするために、ユーザーから送信されたモバイルくじＩＤが既に抽選済みであるか否かの判定処理を行うことを特徴とする請求項１記載の抽選システム。
【請求項３】
前記落選時に取得できる画像ファイルには期限管理情報が設定されており、一定の期間若しくは期日を経過した場合に前記画像ファイルを取得できるリンク情報を消去するようになっていることを特徴とする請求項２又は３記載の抽選システム。
【発明の詳細な説明】
【技術分野】
【０００１】
本発明は、抽選システムに関するものである。
【背景技術】
【０００２】
従来より、携帯電話からサーバーにアクセスし、当該サーバーが提供するサービスによって電子くじを行うものが知られている。例えば、特許文献１記載の携帯電話を利用した電子クジは、ポイント消費サーバーというものを有し、ユーザーの行う電子クジの結果に応じて、ユーザーが保有するポイントの増減を行わせるものである。ポイントは、ゲームの利用料金として使用したり、商品やサービスとの交換に利用することができるものである。
【先行技術文献】
【特許文献】
【０００３】
【特許文献１】特開２００５−２１３５８公報
【発明の概要】
【発明が解決しようとする課題】
【０００４】
上記特許文献１記載の電子くじを含めた従来のくじシステムは、当選するとポイントや商品がもらえるものであり、外れるとポイントが減算されたり、くじの参加権を消費するというものである。このように、従来のくじシステムは、当選した場合には参加者に対して何らかの利益を与える処理をするものであるが、落選した場合には不利益的な処理しか行われていなかった。
本発明は当該事情に鑑み発明したものであって、抽選に外れたことを条件に参加者に対して利益的な処理を伴う抽選システムを提供することを目的とするものである。
【課題を解決するための手段】
【０００５】
上記課題を解決するために、本発明に係る抽選システムは以下の構成を有することを特徴とする。すなわち、
携帯通信端末と接続可能なウェブサーバーを有し、
当該ウェブサーバーは、
利用者に係るユーザー情報として少なくとも電子メールアドレスおよびパスワードを登録するユーザー登録手段と、
前記ユーザー登録手段によって登録されたユーザー情報を管理するユーザー情報管理手段と、
複数のモバイルくじＩＤを記憶し管理するモバイルくじＩＤ管理手段７と、
前記モバイルくじＩＤを抽選処理に参加するための条件とする抽選処理手段と、
前記モバイルくじＩＤに対応する画像データを記憶した画像データ記憶手段を有し、
前記抽選処理手段による前記モバイルくじＩＤを用いて参加した抽選処理の結果が落選である場合に、前記携帯電話端末のディスプレイに表示可能な画像ファイルを取得できるリンク情報を生成する落選処理を行うことを特徴とする。
【０００６】
また、上記抽選システムにおいて
前記ユーザー情報管理手段は、同一のユーザーから同一のモバイルくじＩＤを受信した場合に抽選を行わないようするために、ユーザーから送信されたモバイルくじＩＤが既に抽選済みであるか否かの判定処理を行うことを特徴とする。
【０００７】
また、上記抽選システムにおいて
前記落選時に取得できる画像ファイルには期限管理情報が設定されており、一定の期間若しくは期日を経過した場合に前記画像ファイルを取得できるリンク情報を消去するようになっていることを特徴とする。
【発明の効果】
【０００８】
本発明に係る抽選システムは、当選を目的とした抽選を行うものであるが、落選した場合であっても携帯電話やスマートフォンの待ち受け画面として使用することができる画像ファイルを取得できるように構成したものである。
このため、落選であるにも関わらず待ち受け画像を取得できるため、落選時におけるユーザーの落胆の程度が軽くなり、次回の利用に対する心理的抵抗を軽減することができるという効果を有している。
【図面の簡単な説明】
【０００９】
【図１】本発明に係る抽選システムの全体的な概要を表した説明図である。
【図２】本発明に係る抽選システムのウエブページ画面の一例であるマイページを表した説明図である。
【図３】本発明に係る抽選システムのウエブページ画面の一例である獲得コンテンツを表した説明図である。
【図４】本発明に係る抽選システムの他の例に関する全体的な概要を表した説明図である。
【発明を実施するための形態】
【００１０】
以下、本発明を実施するための形態について説明する。図１は、本発明に係る抽選システムの全体的な概要を表した概略説明図である。
図１において、１は本発明に係る抽選システムを利用する一般的な消費者が所有する携帯電話端末を表している。また、２は本発明に係る抽選システムを実施するウェブサーバーを表している。
ウェブサーバー２は、インターネット回線を利用して携帯電話端末１からのアクセスを許容するウエブサイトを有している。本発明に係る抽選システムは、上記ウエブサイトを介して携帯電話端末１と接続されるウェブサーバー２によって構成されるものである。
【００１１】
ウェブサーバー２は、ユーザー登録手段３によって、予め抽選システムを利用するユーザーの登録処理を行う。当該ユーザー登録手段３は、ユーザーが使用する携帯電話端末１からウェブサーバー２宛に電子メールを送信することから始まる。ウェブサーバー２宛の電子メールが、予め登録してある電話会社各社が提供するメールアカウントを用いたものである場合に、送信に用いたメールアドレスに対して登録用のウエブページリンクを掲載した電子メールを返信する。ユーザーは、当該返信された電子メールに掲載されたウエブページにアクセスして電子メールアドレス、ニックネーム、パスワード等のユーザー情報の登録をすることによる会員登録要求を行う。登録後、ウェブサーバー２は電子メールアドレスとパスワードを認証情報として、携帯電話端末１を用いた抽選システムへのアクセスを許容するようになっている。
前記ユーザー登録手段３によって登録されたユーザー情報は、以後ユーザー情報管理手段６によって管理される。具体的には、前記電子メールアドレス、ニックネーム、パスワードの他、後述する抽選手段によって行われる抽選処理に基づいた当選情報や落選情報、抽選処理に基づいて取得した景品やコンテンツ等に関する情報がユーザー情報管理手段６によって管理される。
【００１２】
ウェブサーバー２は、前述したユーザー情報管理手段６の他に、くじ券情報である複数のモバイルくじＩＤを記憶・管理するモバイルくじＩＤ管理手段７を有している。モバイルくじＩＤは、ユーザーに対して印刷物として提供されるモバイルくじＩＤ付きプリントに視認可能に印刷される情報であり、後述する抽選手段を使用した抽選可能な期限を管理し、当選時・落選時に行うべき処理の内容も管理するものである。
また、ウェブサーバー２はモバイルくじＩＤに対応する画像データを記憶した画像データ記憶手段４を有している。画像データ記憶手段４はウェブサーバー２内に設定したデータ記憶領域によって提供されるものである。当該画像データ記憶手段４に記憶される画像ファイルおよび当該画像ファイルに関連する情報は前記モバイルくじＩＤ管理手段７によって管理される
【００１３】
また、ウェブサーバー２は抽選処理手段５を有している。当該抽選処理手段５は、当該抽選システムにログインしたユーザーが送信したモバイルくじＩＤを受信し、当該モバイルくじＩＤを参加権としてユーザーが当選、入賞若しくはその他の賞を受賞したか否か等の抽選処理を行うものである。参加権とは、抽選に参加するため（抽選処理手段による抽選処理を受けるため）の権利のことである。抽選結果はユーザー情報管理手段６によってユーザーを特定するための情報であるログインＩＤと、ユーザーが送信したモバイルくじＩＤ等に関連づけられて記憶される。
ユーザー情報管理手段６は、ユーザーからモバイルくじＩＤが送信された場合に既に抽選済みであるか否かの判定処理を行い、同一のユーザーから同一のモバイルくじＩＤを受信した場合に抽選を行わないようにしている。
【００１４】
次に、本抽選システム全体の概要について説明する。ウェブサーバー２は、前述したようにユーザーの登録、ユーザー情報の管理、抽選処理等を行うものである。ウェブサーバー２によって管理されるモバイルくじＩＤは、ユーザーによって購入される印刷物１０を媒体としても提供されるものである。モバイルくじＩＤは、一例として英数字の組み合わせからなるテキスト情報として形成される。
当該印刷物１０はコンビニエンスストア等の店頭に設置されているオンライン印刷装置（コピー装置）１１によって印刷されるものである。印刷物１０として印刷されるモバイルくじＩＤを含む印刷画像はウェブサーバー２が生成若しくは保有し、これをオンライン若しくはオフラインでプリンターサーバー１２に提供するようになっている。
プリンターサーバー１２に提供するデータは、モバイルくじＩＤとテレビや雑誌等で知られているようなキャラクター等のコンテンツに係る写真や絵柄を合成した一つの画像ファイルとして提供される。当該画像ファイルの生成は、人間による編集作業によって行っても良いし、好ましくは両者を自動的に合成することで行われる。プリンターサーバー１２に提供された画像ファイルは、オンライン印刷装置（コピー装置）１１からの要求に従って当該オンライン印刷装置１１に提供（ダウンロード）され、くじ番号付きの印刷物１０として出力される。
【００１５】
前述したように、印刷物１０はキャラクターの絵柄等とともにモバイルくじＩＤを表示したものであり、くじ券としての機能の他にコレクションカードとしての価値を併せ持つものである。印刷用紙に印刷する画像は、オンライン印刷装置１１が有する操作画面上からユーザーが選択できるようになっている。オンライン印刷装置１１は、現金若しくはプリペイドカードを用いた課金システムを備えており、画像データの選択と、当該画像データに設定された対価の徴収が確認できた場合（決済処理が行われた場合）に印刷を行い、印刷物１０を排出してユーザーに提供するようになっている。これによって、抽選番号としてモバイルくじＩＤが印刷されたくじ券をユーザーが購入することになる。
【００１６】
ユーザーは、オンライン印刷装置１１を介してくじ券（印刷物１０）を購入することによってモバイルくじＩＤを取得することができ、当該モバイルくじＩＤを用いて前記抽選処理を行うことができるようになる。事前にウェブサーバー２に対するユーザー登録が済んでいない場合には、ユーザー登録を行った後に抽選処理が可能になる。抽選処理手段５は、抽選処理を行った後にアクセスしているウエブページを介して携帯電話端末１に当該抽選結果を表示する。抽選処理によって何らかの受賞をした場合には、当選処理として賞に対応した景品を郵送等するために必要な情報の取得処理等を行う。
なお、モバイルくじＩＤは、前記抽選処理を行う権利を証明する情報として用いればよく、宝くじの当選番号にように必ずしも当該モバイルくじＩＤ自体を当選若しくは落選という扱いをする必要はない。すなわち、モバイルくじＩＤを付したくじ券（印刷物１０）を抽選処理を行うための応募券として取り扱い、抽選処理として行われる乱数的、偶発的な要素を伴う演算処理によって当選若しくは落選の決定をする。
【００１７】
本実施の形態において、当選とは多数の応募数に対して少ない割合で設定された入賞結果若しくは１つしか設定されていない入賞結果を得ることであり、落選とは当選以外の抽選結果を得ることである。
抽選処理手段５によって当選を決定した応募については、前述の通り景品を郵送等するために必要な情報の取得処理を行い、ユーザー情報管理手段６によって管理されるユーザー情報に当選結果に関する情報を加える当選処理を行う。また、落選の場合には携帯電話端末１が有するディスプレイによって待ち受け画面として表示可能な画像（画像ファイル）を取得（ダウンロード）できる画像リンクを生成して所定のウエブページに示す落選処理を行う。
【００１８】
落選に伴って取得可能になる画像ファイルは画像データ記憶手段４に管理されている。当該画像ファイルはモバイルくじＩＤと関連付けられており、特定のモバイルくじＩＤを用いて行った抽選に対して、これに関連付けた特定の画像を前述した方法によってダウンロード可能に提供する。
具体的には、画像ファイルを取得可能に記憶したリンク情報を表示し、当該リンクを選択することによって自己の所有する携帯通信端末に待ち受け画像として使用できる画像をダウンロードできるように構成している。
【００１９】
なお、前記落選時に取得できる画像ファイルは、いつでもダウンロードできるわけではなく、設定された期限管理情報に基づいて一定の期間若しくは期日を経過した以降は、ダウンロードができなくなるようにリンクが消去される。このように、落選時に取得可能な画像ファイルには期限管理情報が設定されている。これは、ダウンロード可能な画像が著作者の許諾を得た著作物であることが多いことによる管理上の観点と、不正アクセスに伴うダウンロードを助長しないようにする観点からである。
【００２０】
以上の処理を携帯通信端末に提供するウエブページ画面を例に説明すると、ウェブサーバー２は、ユーザー登録の完了に伴い各ユーザー毎に図２に示す固有の「マイページ」を生成する。当該「マイページ」を経由して表示等される情報は、ユーザー情報管理手段６によって管理されるユーザー情報に基づいて表示される。
前述した落選時に取得可能な画像ファイルは、当該「マイページ」中に表示する「獲得コンテンツ」で示されたリンクページ中に表示される。当該リンクページを選択すると、図３に示すように「○○さんの獲得待受・クーポン・他」というタイトルバーの下に、取得可能な画像を示すリンクＬが表示される。
【００２１】
取得可能な画像を示す上記のリンクは、画像データ記憶手段４に管理されている画像ファイルの期限管理情報に連動して表示されるようになっている。すなわち、提供期限が過ぎた画像ファイルを提供しないように、前述した取得可能な画像を示すリンクは消去される。
【００２２】
図４は、本発明に係る抽選システムの他の例に関する全体的な概要を表した概略説明図である。当該抽選システムは、図１に示した抽選システムに加えて、印刷物１０に印刷するキャラクター等のコンテンツに係る写真や絵柄をウェブサーバー２にアクセスした携帯通信端末を用いて選択し、これによりオンライン印刷装置１１に入力することで印刷物１０を得ることができるプリント番号を取得できるようにしたものである。
オンライン印刷装置１１は、本発明に係る印刷サービスのみならず、様々な印刷物を提供するように構成されている。このため、操作画面上において選択可能に掲載できる画像の数に制限があり全てを掲載することができない。当該事情に基づき、本実施例ではオンライン印刷装置１１上に図柄等を選択可能に表示していないものであっても、印刷可能な画像ファイルの情報をキー入力等することで印刷物１０を印刷できるようになっている。
本実施例では、上記のような印刷画像を直接指定することができる情報を取得できるようにするため、ウェブサーバー２にアクセスした携帯通信端末によって印刷する画像の選択を行い（Ａ）、当該選択に基づいてプリント番号を取得（Ｂ）できるようになっている。
【産業上の利用可能性】
【００２３】
本発明は、携帯電話を用いたくじ等の抽選システムに利用可能である。
【符号の説明】
【００２４】
１  携帯通信端末
２  ウェブサーバー
３  ユーザー登録手段
４  画像データ記憶手段
５  抽選処理手段
６  ユーザー情報管理手段
７  モバイルくじＩＤ管理手段７
１０  印刷物
１１  オンライン印刷装置（コピー装置）
１２  プリンターサーバー
【図１】
2016126461.tif 000003
【図２】
2016126461.tif 000004
【図３】
2016126461.tif 000005
【図４】
2016126461.tif 000006